(57)【特許請求の範囲】
【請求項１】
動物の首に装着される首輪本体と、この首輪本体の一端部に形成された連結ピン挿入孔と、前記首輪本体の他端部に突設されると共に前記連結ピン挿入孔に挿入可能な首輪連結ピンと、前記首輪本体を動物の首に装着した場合に動物の胴部側に位置すると共に円弧状に形成された胴部側側部と、前記首輪本体に取り付けられたリード取付用リングと、を有してなることを特徴とする動物用首輪。
【請求項２】
動物の首に装着される首輪本体と、この首輪本体の一端部に形成された連結ピン挿入孔と、前記首輪本体の他端部に突設されると共に前記連結ピン挿入孔に挿入可能な首輪連結ピンと、前記首輪本体を動物の首に装着した場合に動物の胴部側に位置すると共に円弧状に形成された胴部側側部と、前記首輪本体の胴部側側部に取り付けられたリード取付用リングと、を有してなることを特徴とする動物用首輪。
【請求項３】
動物の首に装着される首輪本体と、この首輪本体の一端部に首輪本体の長手方向に沿って複数形成された連結ピン挿入孔と、前記首輪本体の他端部に突設されると共に前記連結ピン挿入孔に挿入可能な首輪連結ピンと、この首輪連結ピンの先端に形成された拡径部と、前記首輪本体を動物の首に装着した場合に動物の胴部側に位置すると共に円弧状に形成された胴部側側部と、前記首輪本体の胴部側側部に取り付けられたリード取付用リングと、を有してなることを特徴とする動物用首輪。
【請求項４】
動物の首に装着される首輪本体と、この首輪本体の一端部に首輪本体の長手方向に沿って間隔を設けて複数形成された連結ピン挿入孔と、前記首輪本体の他端部に突設されると共に前記連結ピン挿入孔に挿入可能な首輪連結ピンと、この首輪連結ピンの先端に形成された拡径部と、この拡径部に貫通形成された係止体用貫通孔と、前記首輪本体を動物の首に装着した場合に動物の胴部側に位置すると共に円弧状に形成された胴部側側部と、前記首輪本体の胴部側側部に取り付けられたリード取付用リングと、を有してなることを特徴とする動物用首輪。
【発明の詳細な説明】
【技術分野】
【０００１】
本発明は、犬等の動物の首に取り付けて使用する動物用首輪に関する。
【背景技術】
【０００２】
犬の散歩等では犬が飼主から不用意に離れたりするのを防止するために、犬の首に動物用首輪を装着すると共にその動物用首輪にリード（引き綱）を取り付け、飼主がリードを掴んで犬が飼主から不用意に離れるのを防止している。
ところで、従来の動物用首輪は、ベルト状に形成された首輪本体と、この首輪本体に取り付けられるリード取付用リングと、から構成されている（特許文献１）。
前記動物用首輪を犬の首に装着する場合は首輪本体の一端部に設けられたバックルに首輪本体の他端部を差し込んでバックルと首輪本体の他端部を係止して犬の首に装着している。そして、前記リード取付用リングにリードの先端部を係止している。
このため、前記動物用首輪に取り付けられたリードを強く引っ張ると、リードの先端部と係止しているリード取付用リングが首輪本体の後部を全体的に引っ張る状態になるので、犬の首の前部に位置する首輪本体の中間部が面状になって犬の気管部周辺を圧迫し、犬の気管に大きな負担をかけてしまうという不具合がある。
【特許文献１】実用新案登録第３００９１８２号公報
【発明の開示】
【発明が解決しようとする課題】
【０００３】
本発明は、上記事実に鑑みなされたものであり、リードを強く引いた場合でも動物用首輪が犬等の動物の気管部周辺を圧迫するのを極力抑えることができる動物用首輪を提供するものである。
【課題を解決するための手段】
【０００４】
請求項１の発明は、動物の首に装着される首輪本体と、この首輪本体の一端部に形成された連結ピン挿入孔と、前記首輪本体の他端部に突設されると共に前記連結ピン挿入孔に挿入可能な首輪連結ピンと、前記首輪本体を動物の首に装着した場合に動物の胴部側に位置すると共に円弧状に形成された胴部側側部と、前記首輪本体に取り付けられたリード取付用リングと、を有してなることを特徴としている。
請求項２の発明は、動物の首に装着される首輪本体と、この首輪本体の一端部に形成された連結ピン挿入孔と、前記首輪本体の他端部に突設されると共に前記連結ピン挿入孔に挿入可能な首輪連結ピンと、前記首輪本体を動物の首に装着した場合に動物の胴部側に位置すると共に円弧状に形成された胴部側側部と、前記首輪本体の胴部側側部に取り付けられたリード取付用リングと、を有してなることを特徴としている。
請求項３の発明は、動物の首に装着される首輪本体と、この首輪本体の一端部に首輪本体の長手方向に沿って複数形成された連結ピン挿入孔と、前記首輪本体の他端部に突設されると共に前記連結ピン挿入孔に挿入可能な首輪連結ピンと、この首輪連結ピンの先端に形成された拡径部と、前記首輪本体を動物の首に装着した場合に動物の胴部側に位置すると共に円弧状に形成された胴部側側部と、前記首輪本体の胴部側側部に取り付けられたリード取付用リングと、を有してなることを特徴としている。
請求項４の発明は、動物の首に装着される首輪本体と、この首輪本体の一端部に首輪本体の長手方向に沿って間隔を設けて複数形成された連結ピン挿入孔と、前記首輪本体の他端部に突設されると共に前記連結ピン挿入孔に挿入可能な首輪連結ピンと、この首輪連結ピンの先端に形成された拡径部と、この拡径部に貫通形成された係止体用貫通孔と、前記首輪本体を動物の首に装着した場合に動物の胴部側に位置すると共に円弧状に形成された胴部側側部と、前記首輪本体の胴部側側部に取り付けられたリード取付用リングと、を有してなることを特徴としている。
【発明の効果】
【０００５】
本発明の動物用首輪は、リードを強く引っ張っても犬等の動物の気管部周辺を強く圧迫するのを極力抑えることができるという優れた効果を有する。
また、本発明の動物用首輪は、動物の首に簡単かつ迅速に着脱することができるいう優れた効果を有する。
【発明を実施するための最良の形態】
【０００６】
発明を実施するために最良の形態の例として以下のような実施例を示す。
【実施例１】
【０００７】
図１〜図４には本発明に係わる動物用首輪の第１実施例が示されている。なお、実施例では前記動物用首輪を犬Ａ（図４参照）の首Ｂ（図４参照）に取り付けて使用する場合を例にして説明する。
図４に示されるように、本発明の動物用首輪１０の首輪本体１２は犬Ａの首Ｂに巻かれて装着されるようになっている。
図３に示されるように、この首輪本体１２の一端部１２Ａには連結ピン挿入孔１４が首輪本体１２の長手方向に沿って間隔を設けて複数（実施例では２個）貫通形成されている。また、前記首輪本体１２の他端部１２Ｂには前記連結ピン挿入孔１４に挿入可能な金属製の首輪連結ピン１６が突出されている。
この首輪連結ピン１６の基端部には雄螺子部（図示せず）が形成されている。この雄螺子部は前記首輪本体１２の他端部１２Ｂに固定された金属製の雌螺子形成円板片１７（図２参照）の雌螺子部（図示せず）に螺入できるようになっている。従って、前記首輪連結ピン１６は容易に着脱することができるようになっている。
前記首輪連結ピン１６の先端部には前記連結ピン挿入孔１４の内径寸法と略同一外径寸法の拡径部１８が形成されている。従って、首輪連結ピン１６を連結ピン挿入孔１４に挿入することにより前記首輪本体１２の一端部１２Ａと首輪本体１２の他端部１２Ｂを簡単に連結できるようになっている。また、前記首輪連結ピン１６の先端に拡径部１８を形成することにより首輪連結ピン１６が連結ピン挿入孔１４から抜け難くなっている。
図３に示されるように、前記動物用首輪１０を犬Ａの首Ｂに装着した場合に犬Ａの頭部Ｃ（図４参照）側に位置する首輪本体１２の頭部側側部１２Ｃは直線状に形成されている。これに対して、前記動物用首輪１０を犬Ａの首Ｂに装着した場合に犬Ａの胴部Ｄ（図４参照）側に位置する胴部側側部１２Ｄは円弧状に形成されている。従って、この胴部側側部１２Ｄの方が前記頭部側側部１２Ｃよりも長く形成されている。
図１〜図３に示されるように、前記首輪本体１２の長手方向中央部には革製のリング取付体２０が胴部側側部１２Ｄから垂下するように取り付けられている。このリング取付体２０には金属製のリード取付用リング２２が取り付けられている。
図４に示されるように、このリード取付用リング２２にはリード２４の先端部２４Ａが着脱可能に取り付けられている。
【０００８】
次に、第１実施例の動物用首輪１０の作用を説明する。
動物用首輪１０を犬Ａの首Ｂに装着する場合は、犬Ａの首Ｂに首輪本体１２を巻き付けてから首Ｂの前部で前記首輪連結ピン１６を連結ピン挿入孔１４に挿入する。これにより、前記首輪本体１２の一端部１２Ａと首輪本体１２の他端部１２Ｂが簡単に連結されるので簡単かつ迅速に動物用首輪１０を犬Ａの首Ｂに装着することができる。なお、前記動物用首輪１０を犬Ａの首Ｂに装着する場合、胴部側側部１２Ｄは円弧状に形成されているので動物用首輪１０を犬Ａの胴部Ｄ側に近づけた状態（犬Ａの気管部周辺Ｂ１から離れる状態）で装着することができる。
また、前記首輪連結ピン１６の拡径部１８が連結ピン挿入孔１４から突出することにより前記首輪本体１２の一端部１２Ａと首輪本体１２の他端部１２Ｂの連結が簡単に外れないようになっている。
そして、装着された前記動物用首輪１０のリード取付用リング２２にリード２４の先端部２４Ａを係止することにより動物用首輪１０にリード２４を取り付けることができる。
この状態で犬Ａを散歩していて犬Ａが不用意に飼主から離れようとした場合、飼主は犬Ａが離れるのを阻止するためにリード２４を自分の方へ強く引っ張る。このため、前記首輪本体１２には大きなテンションが作用する。
しかし、前記リード２４の先端部２４Ａが係止しているリード取付用リング２２は首輪本体１２の胴部側側部１２Ｄから垂下するように取り付けられているので、首輪本体１２の頭部側側部１２Ｃよりも胴部側側部１２Ｄの方によりテンションが作用することになる。また、この胴部側側部１２Ｄは円弧状に形成されていて前記頭部側側部１２Ｃよりも長いので頭部側側部１２Ｃに作用するテンションが緩和される。
さらに、首輪本体１２の頭部側側部１２Ｃよりも胴部側側部１２Ｄの方に大きなテンションが作用することにより、首輪本体１２の一端部１２Ａは首輪連結ピン１６を中心として図１矢印Ａ方向に回動し、他端部１２Ｂは首輪連結ピン１６を中心として図１矢印Ｂ方向に回動する。
これにより、首輪本体１２の一端部１２Ａと他端部１２Ｂの上側が少し開いた状態になり、首輪本体１２の上側に位置する犬Ａの気管部周辺Ｂ１に首輪本体１２が当接する面積を小さくできる。
さらに、犬Ａの首Ｂの前部に位置する動物用首輪１０は首輪本体１２の一端部１２Ａと他端部１２Ｂが交差する状態で配設され、前記一端部１２Ａと前記他端部１２Ｂは首輪連結ピン１６によって連結されているので、従来の動物用首輪のように面状で犬Ａの気管部周辺Ｂ１を圧迫しない。
従って、前記動物用首輪１０は従来の動物用首輪のように犬Ａの首Ｂの気管部周辺Ｂ１を圧迫しないので、犬Ａの散歩中等に飼主がリード２４を強く引っ張った場合に犬Ａの首Ｂに加わる負担を大きく軽減することができる。
【０００９】
図５及び図６には本発明に係わる動物用首輪の第２実施例が示されている。なお、第１実施例と同一の構成は同一の符号を用いてその説明を省略する。
図５に示されるように、第２実施例の動物用首輪４０の首輪連結ピン４２の拡径部４４は球状に形成されている。
図６に示されるように、この拡径部４４には左右方向に向って係止体用貫通孔４６が貫通形成されている。
前記係止体用貫通孔４６の内部の上側部４６Ａは直線状に形成され、下側部４６Ｂは円弧状に形成されている。
前記係止体用貫通孔４６には係止体としてのネームプレート５０が吊り下げられた状態で取り付けられるようになっている。このネームプレート５０のネーム記載片５２には図示しないが犬Ａの名前が記載されている。
前記ネーム記載片５２に取り付けられた係止リング５４は前記首輪連結ピン４２の係止体用貫通孔４６に挿入されている。
前記首輪連結ピン４２にネームプレート５０を吊り下げる場合は上述したように首輪連結ピン４２の係止体用貫通孔４６に前記係止リング５４を挿入するので、首輪連結ピン４２が連結ピン挿入孔１４から抜けてしまうことを確実に防止することができる。
また、前記係止体用貫通孔４６の上側部４６Ａは直線状に形成され、下側部４６Ｂは円弧状に形成されているので、ネームプレート５０を吊り下げた場合にネームプレート５０が回転しようとしても回転を阻止されるのでネームプレート５０が犬Ａの顔等に当たるのを防止することができる。
なお、他の構成、作用、効果は第１実施例の動物用首輪１０と同一であるので、その説明は省略する。
【００１０】
なお、実施例では動物用首輪１０を犬Ａに取り付けた場合を例にして説明したが、動物用首輪１０は犬Ａ以外の動物に使用してもよいことは勿論である。
また、実施例では首輪連結ピン１６を首輪本体１２に着脱可能に取り付けたが、首輪連結ピン１６は首輪本体１２に固定状態で取り付けてもよいことは勿論である。
なお、実施例では連結ピン挿入孔１４を２個形成したが連結ピン挿入孔１４の数は２個に限定されるものでないことは勿論である。
また、第２実施例では動物用首輪４０にネームプレート５０を吊り下げた場合を示したが、吊り下げる物はネームプレート５０に限定されるものでななく、キーホルダー等でもよいことは勿論である。
なお、第２実施例の首輪連結ピン４２の係止体用貫通孔４６には係止ピン等を挿入することにより首輪連結ピン４２が連結ピン挿入孔１４から抜けてしまうのを防止するようにしてもよいことは勿論である
【図面の簡単な説明】
【００１１】
【図１】第１実施例の動物用首輪の取付状態を示す正面図である。
【図２】第１実施例の動物用首輪を後方上部から見た全体斜視図である。
【図３】第１実施例の動物用首輪を展開した状態の平面図である。
【図４】第１実施例の動物用首輪を犬に取り付けた状態の側面図である。
【図５】第２実施例の動物用首輪の全体斜視図である。
【図６】第２実施例の動物用首輪の一部拡大正面図である。
【符号の説明】
【００１２】
１０    動物用首輪
１２    首輪本体
１２Ａ  一端部
１２Ｂ  他端部
１２Ｃ  首部側側部
１２Ｄ  胴部側側部
１４    連結ピン挿入孔
１６    首輪連結ピン
２０    リング取付体
２２    リード取付用リング
２４    リード
【図１】
0005051913.tif 000002
【図２】
0005051913.tif 000003
【図３】
0005051913.tif 000004
【図４】
0005051913.tif 000005
【図５】
0005051913.tif 000006
【図６】
0005051913.tif 000007